(57)【要約】【課題】家屋の屋根に設ける融雪用発熱体を保持するための屋根融雪用発熱体保持器を提供する。【解決手段】屋根融雪用発熱体保持器は基体２と挟掴体１１とから構成してある。基体２には略冂状に形成し、挟掴体１１に密嵌するための嵌合凹部６が設けてある。嵌合凹部６の内側摺接面はテーパー面に形成してあると共に、内向き段部が設けてある。発熱体保持部７は断面略Ｃ字状の溝からなり、下側の開口縁は係止縁７Ａになっており、基体２の左、右側面２Ｂ及び後外側面５Ａに異なる高さで設けてある。そして、各発熱体保持部７に臨んで、基体２に発熱体係止爪８が設けてある。挟掴体１１は、略板蒲鉾状に形成され両側面がテーパー面になった本体と、本体の両側面に形成され、基体２の内向き段部に係止する外向き段部１３、１３と、本体の長手方向に肉抜き部を形成することによって形成した一対の挟掴面１４、１４及び上端側の薄肉部とから構成してある。【選択図】図１
0003130407.tif 000002
【実用新案登録請求の範囲】
【請求項１】
屋根の馳に締着する固定具と、該固定具に設けた発熱体保持部とからなり、該発熱体保持部は融雪用発熱体を拘持するように形成したものであることを特徴とする屋根融雪用発熱体保持器。
【請求項２】
前記固定具は、馳を挟掴する一対の挟掴面を有し、外側面をテーパー面に形成してある挟掴体と、該挟掴体に外側から密嵌する嵌合凹部を有し、内面が前記外側面を押圧することにより該挟掴体を前記馳に挟扼させる基体とから構成してあることを特徴とする屋根融雪用発熱体保持器。
【請求項３】
前記挟掴体の外側面と前記基体の嵌合凹部の内面には、該挟掴体と基体を係止させるための係合部が設けてあることを特徴とする請求項２記載の屋根融雪用発熱体保持器。
【請求項４】
前記固定具は、少なくとも１面を雪止め面としてあることを特徴とする請求項１記載の屋根融雪用発熱体保持器。
【請求項５】
前記固定具は、少なくとも挟掴体を合成樹脂材により成形してあることを特徴とする請求項１記載の屋根融雪用発熱体保持器。
【請求項６】
前記固定具には、前記発熱体保持部に臨んで発熱体係止爪を設けてあることを特徴とする請求項１記載の屋根融雪用発熱体保持器。
【請求項７】
前記発熱体保持部は、断面略Ｃ字状の溝からなることを特徴とする請求項１記載の屋根融雪用発熱体保持器。
【請求項８】
前記発熱体保持部は、前記固定具の上面、左、右側面、前、後面のいずれかの面に設けてあることを特徴とする請求項１記載の屋根融雪用発熱体保持器。
【請求項９】
前記発熱体保持部は、前記固定具の上面、左、右側面、前、後面のいずれかの複数面に、かつ左、右側面の発熱体保持部と前、後面の発熱体保持部は高さを異にして設けてあることを特徴とする請求項１記載の屋根融雪用発熱体保持器。
【考案の詳細な説明】
【技術分野】
【０００１】
本考案は、家屋の屋根に設ける融雪用発熱体を保持するための屋根融雪用発熱体保持器に関する。
【背景技術】
【０００２】
降雪寒冷地においては、家屋の屋根に大量の雪が積もることによりその重さで屋根や家屋そのものが損傷してしまうという問題がある。また、大量に積もった雪が屋根の軒先から落下して危険であるという問題もある。そこで、通電することにより発熱する融雪用発熱体を屋根に張り巡らせ、屋根に積もった雪を融かすということが行われている。その融雪用発熱体を屋根に張り巡らせて固定する方法としては、ねじで屋根材に直接留める方法、ねじで屋根に固定した金属製雪止めにねじで融雪用発熱体を固定する方法が用いられている。
【考案の開示】
【考案が解決しようとする課題】
【０００３】
しかし、上述の方法では、ねじ穴を開けることにより屋根材が損傷したり、ねじ穴から水漏れが発生するという問題がある。また、ねじで留めることにより固定するという作業は煩雑であり、施工作業に長時間かかってしまうという問題があるし、屋根という高所での長時間の作業はその性質上極めて危険である。また、何らかの原因で融雪用発熱体が破損してその交換を行う必要が生じたときなど、メンテナンス時にその取り外しを容易に行うことができないという問題がある。
【０００４】
本考案は上述した従来技術の欠点に鑑みなされたもので、ねじを使用することなく屋根に固定することができるし、また、融雪用発熱体を取り付ける際にもねじを使用しないから、屋根及び馳を損傷することがなく、また、容易に取付け、取り外しを行うことができる屋根融雪用発熱体保持器を提供することを目的とする。
【課題を解決するための手段】
【０００５】
上記課題を解決するために構成した本考案の手段は、屋根の馳に締着する固定具と、該固定具に設けた発熱体保持部とからなり、該発熱体保持部は融雪用発熱体を拘持するように形成したことにある。
【０００６】
そして、前記固定具は、馳を挟掴する一対の挟掴面を有し、外側面をテーパー面に形成してある挟掴体と、該挟掴体に外側から密嵌する嵌合凹部を有し、内面が前記外側面を押圧することにより該挟掴体を前記馳に挟扼させる基体とから構成するとよい。
【０００７】
また、前記挟掴体の外側面と前記基体の嵌合凹部の内面には、該挟掴体と基体を係止させるための係合部を設けるとよい。
【０００８】
また、前記固定具は、少なくとも１面を雪止め面とするとよい。
【０００９】
また、前記固定具は、少なくとも挟掴体を合成樹脂材により成形するとよい。
【００１０】
また、前記固定具には、前記発熱体保持部に臨んで発熱体係止爪を設けるとよい。
【００１１】
また、前記発熱体保持部は、断面略Ｃ字状の溝とするとよい。
【００１２】
また、前記発熱体保持部は、前記固定具の上面、左、右側面、前、後面のいずれかの面に設けるとよい。
【００１３】
さらに、前記発熱体保持部は、前記固定具の上面、左、右側面、前、後面のいずれかの複数面に、かつ左、右側面の発熱体保持部と前、後面の発熱体保持部は高さを異にして設けるとよい。
【考案の効果】
【００１４】
本考案は、上述の構成とすることにより以下の諸効果を奏する。
（１）発熱体保持部は融雪用発熱体を拘持するように形成してあり、融雪用発熱体の着脱が容易であるから、施工期間の短縮、施工作業の安全、工事費の低減を図ることができるし、メンテナンスも容易に行うことができる。
（２）発熱体保持部は融雪用発熱体を拘持するように形成してあり、融雪用発熱体の着脱が容易で作業性に優れているから、融雪用発熱体の設置形態の変更を容易に行うことができる。
（３）屋根融雪用発熱体保持器はねじで屋根の馳に固定するのではなく、合成樹脂製の挟掴体で馳を挟掴することにより固定するようにしたから屋根材及び馳を痛めることがない。
（４）屋根融雪用発熱体保持器は、馳を挟掴することにより固定するから取り付け、取り外しが容易であり、施工期間の短縮、施工作業の安全、工事費の低減を図ることができる。
（５）屋根融雪用発熱体保持器は、テーパー面を利用して馳を締めることにより固定するので、強い力で確実に屋根に固定することができる。
（６）固定具の少なくとも一面を雪止め面とすることにより、屋根に積もって、滑り落ちようとする雪の落下を防ぐことができる。
（７）発熱体保持部は断面略Ｃ字状型の溝に形成し、融雪用発熱体を押し込むことで拘持するようにしてあるから、融雪用発熱体の着脱が容易であり、施工期間の短縮、施工作業の安全を図ることができる。
（８）発熱体保持部に臨んで発熱体係止爪を設けることにより、確実に融雪用発熱体を保持するようにしたから、融雪用発熱体が積雪の荷重や風圧によって不用意に外れることを防止することができる。
（９）発熱体保持部は、固定具の上面、左、右側面、前、後面のいずれかの面に設けることにより、一つの屋根融雪用発熱体保持器で複数の融雪用発熱体を保持することができる。
（１０）発熱体保持部は、固定具の上面、左、右側面、前、後面のいずれかの面に設けることにより、融雪用発熱体の引き回し態様に対応する配置が可能である。
（１１）発熱体保持部は固定具の上面、左、右側面、前、後面のいずれかの複数面に、かつ高さを異にして設けたから、融雪用発熱体の横張り、縦張りが可能であり、融雪用発熱体を様々な態様に引き回す施工上の自由度がある。
【考案を実施するための最良の形態】
【００１５】
以下、本考案の実施の形態を図面に基づき詳述する。図において、１は屋根融雪用発熱体保持器を構成する固定具を示し、該固定具１は基体２と後述する挟掴体１１とから構成してある。２は該固定具１を構成する合成樹脂製の基体を示す。該基体２は前後方向に長さを有する肉厚扁平状の基部３と、該基部３の両端から起立し、前外側面４Ａを平坦面に形成してある前側端部４及び後外側面５Ａを平坦面に形成し、かつ前側端部４より高い後側端部５とによって側面から見て略凹状の形態に構成してあり、基体２の底面２Ａは平坦面にしてある。
【００１６】
６は、前記基体２を挟掴体１１に密嵌するために基体２に設けた嵌合凹部を示す。該嵌合凹部６は、基体２に底面から上方に向けて略冂状に形成し、前記前外側面４Ａに開放した前端を挿入口６Ａとし、後端を挟掴体１１が当接するストッパー部６Ｂとしたものからなり、該ストッパー部６Ｂには馳嵌入溝６Ｃが形成してある。そして、嵌合凹部６の対向する内側摺接面６Ｄ、６Ｄは、挿入口６Ａからストッパー部６Ｂに向けて先窄まりのテーパー面に形成してあると共に、底面２Ａから高さ方向略中間を内側に突出させることによって係合部としての内向き段部６Ｅ、６Ｅが設けてある。
【００１７】
７、７、７は発熱体、例えば電熱線Ａを屋根上に配設するために基体２に設けた３個の発熱体保持部を示す。該発熱体保持部７は断面略Ｃ字状の溝からなり、下側の開口縁は上方に若干突出した係止縁７Ａになっている。そして、発熱体保持部７は左、右側面２Ｂ、２Ｂ及び後外側面５Ａに位置して基体２に設けてあり、かつ、左、右側面２Ｂ、２Ｂの発熱体保持部７に対して後外側面５Ａの発熱体保持部７は高く位置させてある。このように、基体２の異なる３面に発熱保持部７を設けることにより、横張り及び縦張りができるし、高さを異ならせることにより発熱線Ａを互いに干渉させることなく配線することができる。
【００１８】
８は該各発熱体保持部７に臨んで、基体２に切込み２Ｃ、２Ｃを形成することにより設けた発熱体係止爪で、該発熱体係止爪８は内面に係止突起８Ａが設けてあり、発熱体保持部７に嵌合した電熱線Ａを確実に拘持するようにしてある。
【００１９】
次に、１１は、基体２と共に固定具１を構成する合成樹脂製の挟掴体を示す。該挟掴体１１は、下面１２Ａが平坦面に、上面１２Ｂが凸湾曲面になった略板蒲鉾状に形成され、両側面１２Ｃ、１２Ｃが前端から後端に向けて先窄まりに傾斜するテーパー面になった本体１２と、該本体１２の両側面１２Ｃ、１２Ｃに裾広がりに形成され、基体２の内向き段部６Ｅ、６Ｅに係止する係合部としての外向き段部１３、１３と、下面１２Ａと両端面１２Ｄ、１２Ｄに開放した状態で本体１２の長手方向に略ショベル状の肉抜き部１２Ｅを形成することによって本体１２に形成した一対の挟掴面１４、１４及び上端側の薄肉部１５とから構成してあり、前後方向から見て略逆Ｕ字状をなしている。そして、挟掴体１１は両側面１２Ｃ、１２Ｃの幅を基体２の嵌合凹部６の幅よりも若干広く設定してあり、嵌合凹部６に挿嵌するのにつれて狭める方向に押圧力が作用するようにしてある。
【００２０】
本実施の形態に係る屋根融雪用発熱体保持器は上述の構成からなるが、次に該保持器を用いて発熱線Ａを屋根上に配設する施工方法について説明する。先ず、対向する挟掴面１４、１４で挟むようにして馳Ｂに挟掴体１１を取付け、基体２を押圧しながら挿入口６Ａから嵌合凹部６に挟掴体１１を挿嵌させる。嵌合凹部６の内側摺接面６Ｄ、６Ｄ及び挟掴体１１の側面１２Ｃ、１２Ｃは先窄まりのテーパー面に形成し、かつ各々の横幅を異ならせて押圧力が働くようにしてあるから、挟掴体１１は嵌合凹部６に容易に嵌入できると共に、基体２の押圧力によって薄肉部１５が変形し、挟掴面１４、１４は馳Ｂを強固に挟掴する。かくして、固定具１は、屋根の馳Ｂにねじや釘を使用することなく容易に、かつ強固に取着することができる。
【００２１】
このようにして馳Ｂに締着した各固定具１の各発熱体保持部７に、発熱線Ａを順次嵌め込んで横張り、縦張りすることにより、発熱線Ａを工具を用いることなく、簡単かつ速やかに配線することができる（図８参照）。しかも、発熱体保持部７は開口縁下側に係止縁７を形成し、上側に発熱体係止爪８を設けてあるから、嵌め込んだ発熱線Ａを強固に保持することができ、積雪の荷重や落雪時の外力に対する強度性を有し、不用意に外れてしまうことがない。しかも、発熱線Ａの交換時や春先の撤去時には、発熱体係止爪８に抗して発熱体保持部７から発熱線Ａを取り外すことができる。
【００２２】
また、基体２の側面発熱体保持部７、７、７は、側面側２Ｂ、２Ｂの発熱体保持部７に対して後外側面５Ａの発熱体保持部７の位置を高く設定してあるから、発熱線Ａを互いに干渉させることなく交差させて配線することができる。このようにして、複数個の固定具１、１、・・・を屋根上に設置することにより、融雪用の発熱線Ａを屋根上に確実に配設することができるし、図８に示すような配線態様に限られることなく、様々な態様で発熱線Ａを配線することができ、施工上の応用範囲が広がり、面積の広い屋根であっても確実に融雪することができる。
【００２３】
更に、傾斜屋根にあっては、平坦面に形成してある後外側面５Ａを屋根の上向き傾斜方向に向けて固定具１を配置することにより、後外側面５Ａは雪止め面として機能し、傾斜屋根からの落雪を可及的に防止することができる。
【００２４】
なお、本実施の形態では、発熱体保持部７は基体２の両側面２Ｃ、２Ｃと後外側面５Ａの３面に設けたが、上面その他の面に設けてもよいものである。
【００２５】
また、基体２と挟掴体１１は横方向に摺動させて嵌合する構成にしたが、挟掴体１１に基体２を上方から押し付けて嵌合する構成にしてもよい。
【図面の簡単な説明】
【００２６】
【図１】屋根融雪用発熱体保持器の外観斜視図である。
【図２】基体の外観斜視図である。
【図３】基体の正面図である。
【図４】基体の背面図である。
【図５】基体の側面図である。
【図６】挟掴体の外観斜視図である。
【図７】挟掴体の底面図である。
【図８】屋根融雪用発熱体保持器の使用状態を示す図である。
【符号の説明】
【００２７】
１      固定具
２      基体
６      嵌合凹部
６Ｅ    内向き段部
７      発熱体保持部
８      発熱体係止爪
１１    挟掴体
１１    挟掴溝
１２Ｃ  外側面
１３    外向き段部
１４    挟掴面
【図１】
0003130407.tif 000003
【図２】
0003130407.tif 000004
【図３】
0003130407.tif 000005
【図４】
0003130407.tif 000006
【図５】
0003130407.tif 000007
【図６】
0003130407.tif 000008
【図７】
0003130407.tif 000009
【図８】
0003130407.tif 000010
【手続補正書】
【提出日】平成19年1月24日(2007.1.24)
【手続補正１】
【補正対象書類名】実用新案登録請求の範囲
【補正対象項目名】請求項２
【補正方法】変更
【補正の内容】
【請求項２】
前記固定具は、馳を挟掴する一対の挟掴面を有し、外側面をテーパー面に形成してある挟掴体と、該挟掴体に外側から密嵌する嵌合凹部を有し、内面が前記外側面を押圧することにより該挟掴体を前記馳に挟扼させる基体とから構成してあることを特徴とする請求項１記載の屋根融雪用発熱体保持器。